(57)【要約】  本発明は、溜り水を維持するように適合された内部空間を画定する上部および底部を有するハウジングを備える排水口を有する洗面台で使用するための自己消毒ウォータトラップに関する。
2021521360.tif 000002
【特許請求の範囲】
【請求項１】
溜り水を維持するように適合された内部空間を画定する上部および底部を有するハウジングを備える排水口を有する洗面台で使用するための自己消毒ウォータトラップであって、
（ｉ）前記上部は、任意選択で中空の入口パイプを介して、前記洗面台の前記排水口と液密に係合するように構成された第１の開口部と、廃水を排出するための中空の出口パイプと液密に係合するように構成された第２の開口部とを有し、
（ｉｉ）前記底部は、液密にＵＶＣ光源を受け入れて維持するように適合され、前記ＵＶＣ光源は、動作中、前記溜り水および前記全内部空間を放射する、
自己消毒ウォータトラップ。
【請求項２】
前記ＵＶＣ光源は、すべての前記溜り水およびすべての前記内部空間を放射するように適合される、請求項１に記載の自己消毒ウォータトラップ。
【請求項３】
その両方が開いている第１の端部および反対側の第２の端部を有する前記中空の入口パイプを備え、前記第１の端部は、前記ハウジングの前記内部空間内に延び、前記上部の前記第２の開口部の下に延びるように適合され、前記第２の端部は、前記洗面台の前記排水口と液密に係合するように構成される、請求項１または２に記載の自己消毒ウォータトラップ。
【請求項４】
その両方が開いている第１の端部および反対側の第２の端部を有する前記中空の出口パイプを備え、前記第１の端部は、前記上部の前記第２の開口部内に延び、前記第２の端部は、廃水を排出するように適合される、請求項１〜３のいずれか一項に記載の自己消毒ウォータトラップ。
【請求項５】
前記ＵＶＣ光源を備える、請求項１〜４のいずれか一項に記載の自己消毒ウォータトラップ。
【請求項６】
前記ＵＶＣ光源は、２５４ｎｍでＵＶＣ光を提供するように適合される、請求項５に記載の自己消毒ウォータトラップ。
【請求項７】
前記ＵＶＣ光源は、２５４ｎｍでＵＶＣ光を提供する１つのＵＶＣランプである、請求項６に記載の自己消毒ウォータトラップ。
【請求項８】
前記ＵＶＣランプは、前記ハウジングの前記底部の中央に位置する、請求項７に記載の自己消毒ウォータトラップ。
【請求項９】
前記底部は、前記ＵＶＣ光源を受け入れ、前記ＵＶＣ光源を液密に維持するように構成された１つの開口部を通して前記ＵＶＣ光源を受け入れるように適合される、請求項１〜８のいずれか一項に記載の自己消毒ウォータトラップ。
【請求項１０】
前記底部は、両方が前記ＵＶＣ光源を受け入れ、前記ＵＶＣ光源を液密に維持するように構成された２つの対向する開口部を通して前記ＵＶＣ光源を受け入れるように適合される、請求項１〜８のいずれか一項に記載の自己消毒ウォータトラップ。
【請求項１１】
前記ＵＶＣ光源は、前記ＵＶＣ光によって吸収されないナノカバーでコーティングされる、請求項５〜１０のいずれか一項に記載の自己消毒ウォータトラップ。
【請求項１２】
前記ウォータトラップのすべての部分は、合金、例えば真鍮などの金属で作製され、任意選択でクロムめっきされる、請求項１〜１１のいずれか一項に記載の自己消毒ウォータトラップ。
【請求項１３】
前記ウォータトラップのすべての内側部分は、バイオフィルムの形成を低減するために滑らかである、請求項１〜１２のいずれか一項に記載の自己消毒ウォータトラップ。
【請求項１４】
前記ウォータトラップのすべての内側部分は、前記ＵＶＣ光源によって放射される、請求項５〜１３のいずれか一項に記載の自己消毒ウォータトラップ。
【請求項１５】
前記ハウジングは、実質的に円筒形である、請求項１〜１４のいずれか一項に記載の自己消毒ウォータトラップ。
【請求項１６】
前記上部および前記底部は、着脱可能であり、液密に接続可能である、請求項１〜１５のいずれか一項に記載の自己消毒ウォータトラップ。
【請求項１７】
前記底部は、液密に接続されて前記溜り水を除去するように適合された着脱可能な蓋またはプラグを備える、請求項１〜１６のいずれか一項に記載の自己消毒ウォータトラップ。
【請求項１８】
排水口を有する洗面台から水を消毒する方法であって、請求項１〜１７のいずれか一項に記載の自己消毒ウォータトラップを提供し、前記ウォータトラップを前記洗面台の前記排水口に接続することと、廃水を排出するための前記出口パイプを適合させることとを含む、方法。
【請求項１９】
前記洗面台の前記排水口および前記ウォータトラップ内の微生物を減少させるための、請求項１〜１８のいずれか一項に記載の自己消毒ウォータトラップの使用。
【請求項２０】
洗面台および排水口を有する洗面台システムであって、（ａ）請求項１〜１８のいずれか一項に記載の自己消毒ウォータトラップを備え、（ｂ）前記排水口は、前記中空の入口パイプと液密に接続するように適合され、前記入口パイプは、金属で作製され、滑らかであり、かつ前記ウォータトラップからの前記ＵＶＣ光に曝露されるように適合された内側表面を有する、洗面台システム。
【請求項２１】
前記排水口は、前記洗面台に組み込まれ、前記洗面台に水を収容するためのプラグを受け入れるように適合されたストレーナ要素を備え、前記ストレーナ要素は、水が通過するための複数の開口部を有する、請求項２０に記載の洗面台。
【請求項２２】
前記ストレーナの前記複数の開口部は、前記洗面台から効率的に水を除去し、前記ＵＶＣ光源からの光を少なくとも３０％、例えば少なくとも５０％低減するように適合される、請求項２１に記載の洗面台。
【発明の詳細な説明】
【技術分野】
【０００１】
本発明は、例えば病院施設の洗面台で使用するための自己消毒ウォータトラップに関する。さらに、本発明は、病院施設の洗面台などの洗面台から水を消毒する方法に関連する。本発明はまた、そのような自己消毒ウォータトラップの使用に関する。さらに、洗面台システムが説明され、特許請求される。
【背景技術】
【０００２】
排水口、特に洗面台のウォータトラップは、家庭、特に病院で最も汚染されている領域の一部である。そのようなウォータトラップは深刻な汚染源とみなされており、特に病院では、多剤耐性菌を患者に感染させている。
【発明の概要】
【発明が解決しようとする課題】
【０００３】
本発明者らは、病院施設、特に、病院の患者、職員および訪問者／親族によって使用される病室およびトイレにおける洗面台および流しの周囲の環境を改善する必要があることを認識した。限定はしないが、一般の家庭や洗面所のある公共の場所に関しても、同様のニーズが存在する。
【課題を解決するための手段】
【０００４】
本発明は、溜り水を維持するように適合された内部空間を画定する上部および底部を有するハウジングを備える排水口を有する洗面台で使用するための自己消毒ウォータトラップに関し、
（ｉ）上部は、任意選択で中空の入口パイプを介して、洗面台の排水口と液密に係合するように構成された第１の開口部と、廃水を排出するための中空の出口パイプと液密に係合するように構成された第２の開口部とを有し、
（ｉｉ）底部は、液密にＵＶＣ光源を受け入れて維持するように適合され、ＵＶＣ光源は、動作中、溜り水および全内部空間を放射する。
【０００５】
一実施形態では、ＵＶＣ光源は、すべての溜り水およびすべての内部空間を放射するように適合される。
【０００６】
さらなる実施形態では、本発明の自己消毒ウォータトラップは、その両方が開いている第１の端部および反対側の第２の端部を有する中空の入口パイプを備え、第１の端部は、ハウジングの内部空間内に延び、上部の第２の開口部の下に延びるように適合され、第２の端部は、洗面台の排水口と液密に係合するように構成される。
【０００７】
さらに別の実施形態では、本発明の自己消毒ウォータトラップは、その両方が開いている第１の端部および反対側の第２の端部を有する中空の出口パイプを備え、第１の端部は、上部の第２の開口部内に延び、第２の端部は、廃水を排出するように適合される。
【０００８】
さらなる実施形態では、本発明の自己消毒ウォータトラップは、ＵＶＣ光源を備える。好ましくは、ＵＶＣ光源は、２５４ｎｍでＵＶＣ光を提供するように適合される。制約のため、２５４ｎｍでＵＶＣ光を提供する１つのＵＶＣランプを有することが好ましいが、２つまたは３つのＵＶＣランプが存在する場合もある。好ましくは、そして最も効果的なＵＶＣ光源を提供するために、ＵＶＣランプは、ハウジング底部の中央に位置する。
【０００９】
さらに別の実施形態では、底部は、ＵＶＣ光源を受け入れ、ＵＶＣ光源を液密に維持するように構成された１つの開口部を通してＵＶＣ光源を受け入れるように適合される。
【００１０】
さらなる実施形態では、底部は、両方がＵＶＣ光源を受け入れ、ＵＶＣ光源を液密に維持するように構成された２つの対向する開口部を通してＵＶＣ光源を受け入れるように適合される。
【００１１】
さらに別の実施形態では、ＵＶＣ光源は、ＵＶＣ光によって吸収されないナノカバーでコーティングされる。
【００１２】
さらなる実施形態では、ウォータトラップのすべての部分は、合金、例えば真鍮などの金属で作製され、任意選択でクロムめっきされる。
【００１３】
さらに別の実施形態では、ウォータトラップのすべての内側部分（表面）は、バイオフィルムの形成を低減するために滑らかである。
【００１４】
さらなる実施形態では、ウォータトラップのすべての内側部分は、ＵＶＣ光源によって放射される。
【００１５】
さらに別の実施形態では、ハウジングは、実質的に円筒形である。
【００１６】
さらなる実施形態では、上部および底部は、着脱可能であり、液密に接続可能である。
【００１７】
さらに別の実施形態では、底部は、液密に接続されて溜り水を除去するように適合された着脱可能な蓋またはプラグを備える。
【００１８】
さらなる態様では、本発明は、排水口を有する洗面台から水を消毒する方法であって、本発明および上記の実施形態のいずれか１つの自己消毒ウォータトラップを提供し、ウォータトラップを洗面台の排水口に接続することと、廃水を排出するための出口パイプを適合させることとを含む、方法に関する。
【００１９】
さらに別の態様では、本発明は、洗面台の排水口およびウォータトラップ内の微生物を減少させるための、本発明および上記の実施形態のいずれか１つの自己消毒ウォータトラップの使用に関する。
【００２０】
さらなる態様では、本発明は、洗面台および排水口を有する洗面台システムであって、（ａ）本発明および上記の実施形態のいずれか１つの自己消毒ウォータトラップを含み、（ｂ）排水口は、中空の入口パイプと液密に接続するように適合され、入口パイプは、合金などの金属で作製され、滑らかであり、かつウォータトラップからのＵＶＣ光に曝露されるように適合された内側表面を有する、洗面台システムに関する。
【００２１】
一実施形態では、排水口は、洗面台に組み込まれ、洗面台に水を収容するためのプラグを受け入れるように適合されたストレーナ要素を備え、ストレーナ要素は、水が通過するための複数の開口部を有する。さらなる実施形態では、ストレーナの複数の開口部は、洗面台から効率的に水を除去し、ＵＶＣ光源からの光を少なくとも３０％、例えば少なくとも５０％低減するように適合される。
【００２２】
本発明のさらなる目的および利点は、以下の説明、および特許請求の範囲から明らかになるであろう。
【図面の簡単な説明】
【００２３】
【図１】上部（１４）および底部（１６）ならびに内部空間（図示せず）を有する本発明のウォータトラップ（１０）を示す図である。
【図２】上部（４２）の第２の開口部（４４）が見える側から見た図１と同様のウォータトラップ（４０）を示す図である。
【図３】線Ａ−Ａに沿った断面として見られる、図２と同じウォータトラップ（４０）を示す図である。
【図４】上部から底部を見た、線Ｂ−Ｂに沿った断面として見られる、図２と同じウォータトラップ（４０）を示す図である。
【図５】上部（８４）および底部（９６）ならびに内部空間（図示せず）を有するウォータトラップ（８０）の一実施形態の異なる形状を示す図である。
【図６】線Ｃ−Ｃに沿った断面として見られる、図５と同じウォータトラップ（８０）を示す図である。
【図７】線Ｄ−Ｄに沿った断面として見られる、図５と同じウォータトラップ（８０）を示す図である。
【図８】上部（１１２）と、反対側の底部（１１４）とを有するストレーナ要素（１１０）を示す図であり、底部は、ウォータトラップと係合するための開口部であり、上部（１１２）は、水が洗面台から出てウォータトラップに入るためのいくつかの小さな開口部（１２２、１２４、１２６）を含む。
【図９】上部から見た、図８のストレーナ要素（１１０）を示す図である。
【発明を実施するための形態】
【００２４】
ウォータトラップを除染する紫外線Ｃ（ＵＶＣ）光の有効性の研究が、病院施設で行われてきた。この閉じた研究は、ウォータトラップの非常に明確かつ効果的な除染を示し、細菌数の減少が非常に効果的であった。また、研究は、本発明のウォータトラップの除去が迅速な汚染につながることを示した。本発明は、自己消毒性であり、衛生施設で使用することができるウォータトラップ装置に関連する。本発明のウォータトラップ装置は、ウォータトラップ内のＵＶＣ光源の場所と組み合わせたウォータトラップの特定の構造により、細菌を含む微生物を効率的に除去する。ウォータトラップのＵＶＣ光除染は、洗面台から免疫不全患者への多耐性の水中細菌の拡散を防ぐための実現可能な補助手段である可能性がある。
【００２５】
本発明は、説明された解決策によりこれらの利点を提供する。
【００２６】
本発明は、排水口を有する洗面台で使用するための自己消毒ウォータトラップに関する。洗面台などは、住居のほか、化粧室／トイレなどの公共の場所だけでなく病院にも見られ、病院では汚染が病院のすべての領域に大きな影響を与える。
【００２７】
本発明のウォータトラップは、溜り水を維持するように適合された内部空間を画定する上部および底部を有するハウジングを備え、上部および底部は、２つの部分の形態であってもよいし、または１つのハウジングとして見られてもよく、上部および底部は、単にハウジングのどちらの半分が参照されているかを示している。
【００２８】
上部は、洗面台の排水口と液密に係合するように構成された第１の開口部を有する。そのような接続を液密にするために、例えばねじ接続の使用がオプションであるが、他の解決策も可能であることは当業者には明らかである。場合によっては、ウォータトラップの上部開口部の場所と洗面台の排水口からの距離によって、その距離に応じた長さを有する接続パイプが必要となる。接続パイプは、合金などの金属で作製された中空の入口パイプである。
【００２９】
上部はまた、廃水を排出するための中空の出口パイプと液密に係合するように構成された第２の開口部を有し、典型的には、そのような第２の開口部が上部の側面に位置し、それにより第２の開口部は、廃水を下水管などの異なる場所に導く別のパイプに容易に接続されるようになる。
【００３０】
底部は、ＵＶＣ光源を受け入れ、ＵＶＣ光源を液密に維持するように適合され、ＵＶＣ光源は、動作中、溜り水および全内部空間を放射する。ＵＶＣ光源は、すべての溜り水およびすべての内部空間を放射するように適合される。ＵＶＣ光源が底部内に延びる画定された空間内に位置しているため、ＵＶＣ光は、ＵＶＣ光源が維持されているとき、中空の入口パイプを含むウォータトラップのすべての内部空間を放射する。典型的には、ＵＶＣ光源は、実装されて使用されると、底部の内側壁を底部の反対側の内側壁に形成して延びる。好ましくは、ＵＶＣ光源は、２５４ｎｍでＵＶＣ光を提供するように適合され、これは、実験によりこの波長外では有効性が大幅に低下することが示されているからである。制約のため、２５４ｎｍでＵＶＣ光を提供する１つのＵＶＣランプを有することが好ましいが、２つまたは３つのＵＶＣランプが存在する場合もある。好ましくは、そして最も効果的なＵＶＣ光源を提供するために、ＵＶＣランプは、ハウジング底部の中央に位置する。したがって、ＵＶＣランプは、中央に位置し、１つの内側壁から反対側の内側壁までの距離全体に広がって延びる。底部は、ＵＶＣ光源を受け入れ、ＵＶＣ光源を液密に維持するように構成された１つの開口部を通してＵＶＣ光源を受け入れるように適合させることができるが、ウォータトラップをよりユーザフレンドリーにし、洗面台の様々な状況および場所に適合しやすくするために、底部は、両方がＵＶＣ光源を受け入れ、ＵＶＣ光源を液密に維持するように構成された２つの対向する開口部を通してＵＶＣ光源を受け入れるように適合される。
【００３１】
ＵＶＣランプは、ＵＶＣ源を保護するスリーブとも呼ばれるガラスで覆われ、ガラスをさらに保護するために、ナノカバーが、好ましくはガラスの全表面領域に適用される。好ましくは、ＵＶＣ光源は、ＵＶＣ光によって吸収されないナノカバーでコーティングされる。ナノカバーは、ＵＶＣランプを構成するガラスの外側部分上のカルシウムの堆積を低減するために使用される。ナノカバーは水を避け、ガラス表面への水の付着を回避する。したがって、カルシウムはナノカバーに付着することができず、その結果、カルシウムは形成されず、ウォータトラップにおいて継続的かつ効果的なＵＶＣ光が確保される。ナノカバーのない純粋なガラス表面は、硬水がある領域ではガラス上に炭酸カルシウムが形成され、長時間使用するとＵＶＣ放射の効果が低下する可能性がある。
【００３２】
典型的には、ナノカバーは、炭化水素と二酸化ケイ素の混合物で作製され得る。ＳｉＯ２は、ガラス表面に化学的に結合している。ナノカバーは噴霧によって適用されるが、浸漬および他の適用方法が考えられる。ナノカバーコーティングは、スリーブガラスに適用されてコーティングが比較的薄いガラス上に均一に分布し、典型的には、ＵＶＣランプは、空気と水の流れ、破損、漏れ、温度変動、および環境上の危険から保護する２０．５ｍｍの閉型／ドーム型の石英スリーブで保護される。ランプからのＵＶＣ光は、２５４ｎｍの波長を有し、ナノカバーはこの波長で吸収しないため、ＵＶＣランプの有効性には影響を及ぼさない。
【００３３】
上部の第１の開口部で使用する任意の中空の入口パイプは、金属で作製され、洗面台の下に設置するときに調整することが可能である。最適に機能するために、中空の入口パイプの第１の端部は、使用中の複雑さを回避し、ウォータトラップが適切に機能するために、第１の端部が上部の第２の開口部の下に延びるようにハウジングの内部空間内に延びる必要がある。
【００３４】
上部の第２の開口部は、典型的には、開口部から廃水を排出することができる点まで突出する出口パイプを備えている。そのような第２のパイプは、プラスチックまたは金属などの任意の材料で作製することができるが、本発明のウォータトラップが金属で製造されるとき、上部の入口パイプも金属で作製することが好ましい。
【００３５】
本明細書で使用する場合、「金属」という用語は、任意の金属自体、または合金などの金属混合物を意味し、典型的には真鍮が使用される。任意選択で、真鍮などの金属は、クロムめっきされる。
【００３６】
バイオフィルムの形成は、ハウジングの内側空間ならびに上部の第１および第２の開口部から延びる中空の入口パイプなどの様々な部分の汚染に寄与する可能性があるため、バイオフィルムの形成を低減するために、ウォータトラップのすべての内側部分（表面）を滑らかにすることが好ましい。
【００３７】
典型的には、ハウジングは、実質的に円筒形である。ハウジングの上部および底部は、着脱可能であり、液密に接続可能であり得、または底部は、液密に接続されて溜り水を除去するように適合された着脱可能な蓋またはプラグを備えてもよい。そのような蓋またはプラグは、溜り水の除去を簡単かつユーザフレンドリーにするために、底部の最も低い部分に載置される。
【００３８】
さらなる態様では、本発明は、排水口を有する洗面台から水を消毒する方法であって、本発明および上記の実施形態のいずれか１つの自己消毒ウォータトラップを提供し、ウォータトラップを洗面台の排水口に接続することと、廃水を排出するための出口パイプを適合させることとを含む、方法に関する。本発明の自己消毒ウォータトラップに関連して説明した上記の実施形態の各々は、本発明の水を消毒する方法に関する実施形態であることも意図されていることを理解されたい。
【００３９】
さらに別の態様では、本発明は、洗面台の排水口およびウォータトラップ内の微生物を減少させるための、本発明および上記の実施形態のいずれか１つの自己消毒ウォータトラップの使用に関する。本発明の自己消毒ウォータトラップに関連して説明した上記の実施形態の各々は、本発明の自己消毒ウォータトラップの使用に関する実施形態であることも意図されていることを理解されたい。
【００４０】
さらなる態様では、本発明は、洗面台および排水口を有する洗面台システムであって、（ａ）本発明および上記の実施形態のいずれか１つの自己消毒ウォータトラップを含み、（ｂ）排水口は、中空の入口パイプと液密に接続するように適合され、入口パイプは、合金などの金属で作製され、滑らかであり、かつウォータトラップからのＵＶＣ光に曝露されるように適合された内側表面を有する、洗面台システムに関する。本発明の自己消毒ウォータトラップに関連して説明した上記の実施形態の各々は、本発明の洗面台システムに関する実施形態であることも意図されていることを理解されたい。
【００４１】
排水口は、典型的には、洗面台に組み込まれ、洗面台に水を収容するためのプラグを受け入れるように適合されたストレーナ要素を備え、ストレーナ要素は、水が通過するための複数の開口部を有する。ストレーナにおける開口部は、使用中に洗面台から水を除去するのに十分である必要があり、同時に、そのような開口部はまた、ＵＶＣ光源からの光を少なくとも３０％、例えば少なくとも４０％、少なくとも５０％、または少なくとも６０％低減する必要がある。
【００４２】
次に、本発明のウォータトラップの典型的な実施形態を例示する添付の図面を参照して、本発明をより完全に説明する。
【００４３】
これらの図面は、決して本発明の範囲を限定するものではなく、本発明をよりよく理解するために当業者を導くことのみを意図している。
【００４４】
図１は、上部（１４）および底部（１６）ならびに内部空間（図示せず）を有する本発明のウォータトラップ（１０）を示す図である。上部および底部は、ハウジング（１２）を構成する。上部（１４）は、第１の開口部（１８）と、第２の開口部（２２）とを有し、第１の開口部（１８）は、洗面台の排水口、または洗面台から延びる中空の内側チューブ（図示せず）などの接続パイプと係合することができる接続要素（２０）によって画定される。第２の開口部（２２）は、廃水を下水管に導くための延長パイプ（図示せず）と液密に係合するためのねじ付き内側部分（２６）を備えるパイプ接続部（２４）によって延長される。底部には、２つのパイプ延長部（３０、３４）が互いに反対側に位置し、第１のパイプ延長部（３０）は、ＵＶＣランプを受け入れるように適合された開口部（２８）を有する。反対側では、他方のパイプ延長部（３４）は、ＵＶＣランプを受け入れるように適合された同様の開口部（図示せず）を有する。したがって、この実施形態では、ＵＶＣランプは、パイプ延長部（３０、３４）の両方の開口部から挿入されて取り付けられてもよい。小さな接続部（３２、３６）は、使用中におけるアース接続用のコンセントである。
【００４５】
図２は、上部（４２）の第２の開口部（４４）が見える側から見た図１と同様のウォータトラップ（４０）を示す図である。対応する上部（４２）および底部（４６）は、図１と同じである（１４および１６）。上部（４２）の上（５２）は、底部（４６）の底（５４）の反対側に位置する。図１でも説明されているように、底部には、２つのパイプ延長部（４８、５０）が互いに反対側に位置し、パイプ延長部（４８、５０）は、ＵＶＣランプを受け入れるように適合された開口部（図示せず）を有する。小さな接続部（５６、５８）は、使用中におけるアース接続用のコンセントである。
【００４６】
図３は、線Ａ−Ａに沿った断面として見られる、図２と同じウォータトラップ（４０）を示す図である。上（５２）は、任意選択で中空の内側パイプ（図示せず）を介して排水口と係合するためのねじ付き部分を有する。上部（４２）は、第２の開口部（４４）を有する延長パイプ（６２）を有し、内部空間（６６）が例示されている。部分（６０）は、ＵＶＣランプがウォータトラップの動作中に使用するために導入される底部（４６）の開口部を示しており、これは、図２において延長パイプ（４８、５０）にも示されている。
【００４７】
図４は、上部から底部を見た、線Ｂ−Ｂに沿った断面として見られる、図２と同じウォータトラップ（４０）を示す図である。円筒形の内部空間（６６）が示されており、底部（４６）は、前記内側空間（６６）を取り囲み、延長パイプ（４８、５０）の開口部（６８、７０）は、中央に互いに反対側に位置する。開口部は、ＵＶＣランプを受け入れ、ＵＶＣランプを液密に維持するように適合される。小さな接続部（５６、５８）は、使用中におけるアース接続用のコンセントである。
【００４８】
図５は、上部（８４）および底部（９６）ならびに内部空間（図示せず）を有するウォータトラップ（８０）の一実施形態の異なる形状を示す図である。上部および底部は、ハウジング（９２）を構成する。上部（８４）は、第１の開口部（８２）と、第２の開口部（８６）とを有し、第１の開口部（８２）は、洗面台の排水口、または洗面台から延びる接続パイプと係合することができる接続要素によって画定される。第２の開口部（８６）は、廃水を下水管に導くための延長パイプ（図示せず）と液密に係合するためのねじ付き内側部分（図示せず）を備えるパイプ接続部（８６）によって延長される。底部（９６）では、ＵＶＣランプの挿入の端部から１つのパイプ延長部（９４）を見ることができ、この１つのパイプ延長部（９４）は、ＵＶＣランプを受け入れるように適合された開口部（９４）を有する。したがって、この実施形態では、ＵＶＣランプは、１つの開口部のみから挿入されて取り付けられてもよい。上部（８４）と底部（９６）は、間隔を空けて例示されており、それにより内側チューブ／パイプ（８８）が、使用中に液密のハウジングを固定するための、上部（８４）と底部（９６）の係合部分（９０）との間のアセンブリで見ることができる。小さな接続部（９８）は、使用中におけるアース接続用のコンセントである。
【００４９】
図６は、線Ｃ−Ｃに沿った断面として見られる、図５と同じウォータトラップ（８０）を示す図である。ここで、中空の内側チューブまたはパイプ（８８）は、上部（８４）の上部開口部（１０２）から上部の第２の開口部（図示せず）の下の場所（１０４）に延びるものとして見ることができる。内部空間は、（１００）として例示され、底部（９６）では、ＵＶＣランプ（９４）は、ハウジング（９２）の底部（９６）に維持されるように示されている。挿入されたＵＶＣランプ（９４）を有する開口部の反対側の端部（１０４）は、底部の側面から延びてＵＶＣランプを収容し、使用中にＵＶＣランプを固定して維持する。
【００５０】
図７は、線Ｄ−Ｄに沿った断面として見られる、図５と同じウォータトラップ（８０）を示す図である。見てわかるように、ＵＶＣランプ（９４）は、中央に位置し、ハウジングの底部の両側から延び、内部空間（１００）、ならびに溜り水、およびハウジング（９２）の内側に面するウォータトラップまたはウォータトラップシステムの部分の完全なＵＶＣ曝露を確保する。
【００５１】
図８は、上部（１１２）と、反対側の底部（１１４）とを有するストレーナ要素（１１０）を示す図であり、底部は、ウォータトラップと係合するための開口部であり、上部（１１２）は、水が洗面台から出てウォータトラップに入るためのいくつかの小さな開口部（１２２、１２４、１２６）を含む。上部は、周縁（図示せず）であり、洗面台の排水口に収まるように適合された縁部分（１２０）を有する。内側空間（１１８）は、洗面台が使用されているときに水が流れるための中空の空間を画定し、ストレーナ（１１０）は、上部からウォータトラップ内へのチューブ延長部（図示せず）を画定する壁（１１６）によって区切られる。
【００５２】
図９は、上部から見た、図８のストレーナ要素（１１０）を示す図である。この実施形態で例示されるように、上部は、水が洗面台から出てウォータトラップに入るための７つの小さな開口部（１２２、１２４、１２６、１３０、１３２、１３４、１３６）を含む。上部は、周縁である縁部分（１２０）を有し、周縁の内側線（１２８）は、水を小さな開口部（１２２、１２４、１２６、１３０、１３２、１３４、１３６）に導くための小さな窪みを例示する。
【００５３】
本明細書で引用される出版物、特許出願および特許を含むすべての参考文献は、各参考文献が参照により組み込まれるように個別かつ具体的に示され、その全体が本明細書に記載された場合と同程度まで、参照により本明細書に組み込まれる。
【００５４】
すべての見出しおよび小見出しは、本明細書において便宜上使用されているにすぎず、決して本発明を限定するものとして解釈されてはならない。
【００５５】
本明細書で別段の指示がない限り、または文脈によって明らかに矛盾しない限り、そのすべての可能な変形における上述の要素の任意の組み合わせが本発明に包含される。
【００５６】
本明細書中の値の範囲の記載は、本明細書で別段の指示がない限り、その範囲内に入る各個別の値を個々に参照する簡略な方法として機能することのみを意図しており、各個別の値は、それらが個々に本明細書中に記載されているのと同様に、本明細書に組み込まれる。特に明記しない限り、本明細書で提供されるすべての正確な値は、対応する近似値を表す（例えば、特定の因子または測定に関して提供されたすべての正確な例示的な値は、必要に応じて「約」で変更される、対応する近似測定値も提供すると考えられ得る）。
【００５７】
本明細書で説明されるすべての方法は、本明細書で別段の指示がない限り、または文脈によって明らかに矛盾しない限り、任意の適切な順序で実施することができる。
【００５８】
本発明を説明する文脈で使用される用語「ａ」および「ａｎ」および「ｔｈｅ」および同様の指示対象は、本明細書で別段の指示がない限り、または文脈によって明らかに矛盾しない限り、単数形と複数形の両方を挿入すると解釈されるべきである。したがって、「ａ」および「ａｎ」および「ｔｈｅ」は、少なくとも１つ、または１つ以上を意味する場合がある。
【００５９】
本明細書で提供される任意およびすべての例、または例示的な言語（例えば、「など」）の使用は、単に本発明をよりよく説明することを意図しており、別段の指示がない限り、本発明の範囲を限定するものではない。本明細書中の言語は、明確に述べられていない限り、任意の要素が本発明の実施に必須であることを示すと解釈されるべきではない。
【００６０】
「〜から選択される」または「〜からなる群から選択される」が使用される場合の説明を通して、それはまた、述べられた用語のすべての可能な組み合わせ、ならびに各個々の用語を意味する。
【００６１】
本明細書中の特許文書の引用および組み込みは、便宜上行われているだけであり、そのような特許文書の妥当性、特許性、および／または権利行使可能性の観点を反映することはない。
【００６２】
１つまたは複数の要素に関して「備える」、「有する」、「含む」または「含有する」などの用語を使用する本発明の任意の態様または実施形態の本明細書中の説明は、別段の記載がない限り、または文脈によって明らかに矛盾しない限り、その特定の１つまたは複数の要素「からなる」、「から本質的になる」、または「実質的に含む」本発明の同様の態様または実施形態に対する支持を提供することを意図している（例えば、本明細書において特定の要素を含むと説明される組成物は、別段の記載がない限り、または文脈によって明らかに矛盾しない限り、その要素からなる組成物も説明すると理解されるべきである）。
【００６３】
前述の説明で開示された特徴は、別々におよびそれらの任意の組み合わせの両方で、本発明をその多様な形態で実現するための材料であり得る。
【００６４】
実験
洗面台のウォータトラップ（図１〜図９参照）用に新しく開発されたＵＶ−Ｃ除染装置は、４つの個別の洗面台（ＨｙｇＬａｂ、２１１、１０３Ａおよび２００Ｂ）に取り付けられた。
【００６５】
実験設計：
２つの洗面台では、ＵＶ−Ｃ光がアクティブであったが、２つの洗面台はＵＶ−Ｃ曝露なしのコントロールとして使用された（パート１）。８週間後、実験を入れ替え、最初のＵＶ−Ｃアクティブの洗面台をコントロールとして使用し、最初のコントロールの洗面台をＵＶ−Ｃ光に曝露した（パート２）、表１参照。
【表１】
2021521360.tif 000003
【００６６】
Ｈｙｇｌａｂは、衛生研究所の洗面台を意味し、２１１、１０３Ａおよび２００Ｂは、病院施設内の様々なトイレの特定の洗面台である。
【００６７】
サンプルの収集および同定：
スワブを洗面台のテールパイプの上部と底部から毎週採取し、血液寒天プレートおよび乳糖寒天プレート上で成長させた。細菌は、半定量的に定量化した。
【００６８】
水を毎週ウォータトラップから収集し、総細菌数（ＣＦＵ／ｍＬ）を決定するために１０倍段階希釈を行った。
【００６９】
細菌のコロニーは、ＭＡＬＤＩ−ＴＯＦ  ＭＳ技術によって同定された。
【００７０】
細菌数（ＣＦＵ／ｍＬ）：
実験のパート１とパート２の両方において、コントロールの洗面台と比較して、ＵＶ−Ｃアクティブのウォータトラップで最初の１週間以内に細菌数の顕著な減少が観察された。実験のパート２のＵＶ−Ｃアクティブのウォータトラップでは、細菌数は１０５〜１０６分の１に減少した（表２参照）。
【００７１】
全体的に、実験期間中、ＵＶ−Ｃ光に曝露されたウォータトラップとコントロールのウォータトラップとの間に、細菌数の顕著な違いが観察された。
【００７２】
実験のパート２の最初の２週間以内に、新しいコントロールのウォータトラップの細菌数は、実験のパート１のコントロールのウォータトラップと同様のレベルまで著しく増加した（表２参照）。
【表２】
2021521360.tif 000004
【００７３】
同定された種：
ＵＶ−Ｃ除染により、ＵＶ−Ｃ光に曝露されたウォータトラップで同定された様々な細菌の総数が減少した（ＵＶ−Ｃアクティブ＝５、コントロール＝９）。
【００７４】
ＵＶ−Ｃ光への曝露が中断された後、識別された種の総数は増加した。
【００７５】
ＵＶ−Ｃ光曝露下で、緑膿菌とグラム陰性の腸内共生菌は消失したが、ステノトロフォモナス・マルトフィリアは著しく増加した。
【図１】
2021521360.tif 000005
【図２】
2021521360.tif 000006
【図３】
2021521360.tif 000007
【図４】
2021521360.tif 000008
【図５】
2021521360.tif 000009
【図６】
2021521360.tif 000010
【図７】
2021521360.tif 000011
【図８】
2021521360.tif 000012
【図９】
2021521360.tif 000013
【国際調査報告】
2021521360.tif 000014
2021521360.tif 000015
2021521360.tif 000016